【事件の表示】
　特願２０１４−　８８７７０「情報処理装置、情報処理方法、およびプログラム」拒絶査定不服審判事件〔平成２７年１１月１９日出願公開、特開２０１５−２０７２３３〕について、次のとおり審決する。
【結　論】
　本件審判の請求は、成り立たない。
【理　由】
第１　手続きの経緯
　本願は、平成２６年４月２３日の出願であって、平成２９年７月７日付けで拒絶理由が通知され、同年８月２５日付けで手続補正がされ、同年１０月２７日付けで拒絶査定がされ、これに対し、平成３０年１月９日に拒絶査定不服審判が請求され、同時に手続補正がされたものである。
第２　平成３０年１月９日にされた手続補正についての補正却下の決定
［補正却下の決定の結論］
　平成３０年１月９日にされた手続補正（以下「本件補正」という。）を却下する。
［理由］
１　本件補正の内容
（１）本件補正後の特許請求の範囲
　本件補正により、特許請求の範囲の請求項１の記載は、次のとおり補正された。
「【請求項１】
第一文字列を含むボタンを有する第一画面に関する
情報であり、前記第一文字列を含むボタンの情報であるボタン情報を有する
前記第二画面に含まれる情報に関する情報であり、変化し得る情報である報知情報を格納し得る報知情報格納部と、
前記第一画面を出力する出力指示を受け付ける受付部と、
前記ボタン情報に前記報知情報を付加し、出力されるボタン情報を構成し、当該出力されるボタン情報を含む第一画面情報を構成する情報処理部と、
前記受付部が出力指示を受け付けた場合に、前記第一文字列と前記報知情報とが表出したボタンを有する第一画面に関する第一画面情報
であり、前記情報処理部が構成した第一画面情報
前記ボタンに対する選択が受け付けられた場合に、
前
前記ボタンの中の前記報知情報の領域以外の領域が選択された場合でも、
情報
（２）本件補正前の特許請求の範囲
　本件補正前の、平成２９年８月２５日付けでされた手続補正により補正された特許請求の範囲の請求項１の記載は次のとおりである。
「【請求項１】
第一文字列を含むボタンを有する第一画面に関する第一画面情報と、前記ボタンに対する選択を受け付けた場合に出力される第二画面に関する第二画面情報とを格納し得る画面情報格納部と、
前記第二画面に含まれる情報に関する情報であり、変化し得る情報である報知情報を格納し得る報知情報格納部と、
前記第一画面を出力する出力指示を受け付ける受付部と、
前記受付部が出力指示を受け付けた場合に、前記第一文字列と前記報知情報とが表出したボタンを有する第一画面に関する第一画面情報を出力し、かつ第二画面情報を出力する出力部とを具備し、
前記ボタンに対する選択が受け付けられた場合に、前記第二画面が出力され、
前記ボタンの中の前記報知情報の領域が選択された場合でも、前記第二画面が出力される情報処理装置。」
２　補正の適否
　本件補正の上記補正事項は、本件補正前の請求項１に記載された発明を特定するために必要な事項である「第一画面に関する第一画面情報」を「第一画面に関する
情報であり、前記第一文字列を含むボタンの情報であるボタン情報を有する
前記ボタン情報に前記報知情報を付加し、出力されるボタン情報を構成し、当該出力されるボタン情報を含む第一画面情報を構成する情報処理部
であり、前記情報処理部が構成した第一画面情報
前記ボタンに対する選択が受け付けられた場合に、
前記ボタンの中の前記報知情報の領域以外の領域が選択された場合でも、
情報
　また、特許法第１７条の２第３項、第４項に違反するところはない。
　そこで、本件補正後の請求項１に記載される発明（以下「本件補正発明」という。）が、特許法第１７条の２第６項において準用する同法第１２６条第７項の規定に適合するか（特許出願の際独立して特許を受けることができるものであるか）について、以下、検討する。
（１）本件補正発明
　本件補正発明は、上記１（１）に記載したとおりのものである。
（２）引用文献
ア　引用文献１
（ア）原査定の拒絶の理由で引用された、本願出願前に頒布された刊行物である特表２００７−５１２６３５号公報（平成１９年５月１７日公表。以下、「引用文献１」という。）には、図面とともに、次の事項が記載されている。（下線部は、当審で注目する箇所を示す。以下同様。）
「【０００４】
  一般的に、
無線移動体機器のＧＵＩは、メインまたはホームスクリーン、および１つ以上の、メインスクリーンから導かれ得るサブスクリーンを備える。
「【００３３】
  図３を参照すると、本発明の実施形態に従い、移動局２０２を制御するためのグラフィックユーザインターフェースを提供する、移動局２０２のデュスプレイ２２２の例示的なメインスクリーン３００の図が見られる。
メインスクリーン３００は、
アプリケーション部分３０１は、移動局２０２によって動作可能な様々なソフトウェアアプリケーションおよび機能のために、アイコン（例えば、３０４〜３１２）を表示し、操作するための部分であり、
ＩＭアプリケーションＩＭ１、ＩＭ２、およびＩＭ３のための３つのアイコン３０４、３０６、および３０８を示し、２つのそれぞれのｅメールサービスＥｍａｉｌ１、およびＥｍａｉｌ２のための２つのアイコン３１０および３１２を示す。各アイコンに関連付けられるものは、アイコン３０４に対するアプリケーションの名前（例えば、ＩＭ１）である。
【００３４】
  メインスクリーン３００は、アプリケーション部分３０１において一度に全てのアプリケーションアイコンを示し得ない。ユーザは、追加的なアプリケーションアイコンを見るために、アイコンのアプリケーション部分３０１をナビゲートまたはスクロールすることを要求され得る。
【００３５】
  単純化のために、各アイコンは円形で示されるが、当業者は、他のグラフィックが使用され得ることを理解するだろう。移動局２０２の例示的な
メインスクリーンおよびＧＵＩにおいて、（キーボード２３２または他の補助Ｉ／Ｏデバイス２２８を操作することによって）特定のアイコン（例えば、３０４）がユーザによって選択される場合、またはユーザによってアクティブになる場合、アイコン３０４は、強調表示、シャドーイング等によって変更される。
【００３６】
  本発明の一実施形態に従い、
アイコン（例えば、３０４）は、メインスクリーン３００における変化を介してイベントの即時の通知を提供するために、アイコンに関連するアプリケーションからの新しいイベントに応答して、視覚的に変更され得る。
【００３７】
  図３のメインスクリーン３００の各アイコンは、初期状態にあり、新しいイベントが起こらず、ユーザによる注意を引いていないことを示す。図４は、
新しいＩＭイベント（例えば新しいメッセージ）がＩＭアプリケーションの１つ、つまりアイコン３０６に関連するＩＭ２に届いた後
新しいＩＭメッセージは、
新しいイベント（このケースにおいて、未読メッセージが新しいイベントである）の総数を示す数インジケータ
を含む視覚的な変更４００と共に示される。
未読メッセージ数を示すことに加え、このメカニズムは、関連するアプリケーションに適する追加的な状態情報のような他の新しいイベント情報に反映するために使用され得る。
【００３８】
  任意的に、総数は、各アプリケーションに対して、またはアプリケーションの出来事に対して構成可能であり得る。アプリケーションアイコン３０４において、独特な送信者からの未読ＩＭメッセージ数を識別し得、アプリケーションアイコン３０８に対して、独特な未読ＩＭメッセージ数を識別し得る。
【００３９】
  図５は、ユーザアクションが後に続くＩＭアプリケーションアイコン３０６の図である。移動局２０２のユーザが、電話アイコン５０２を強調表示するために、アイコン３０４からアイコン３０６、３０８を介してメインスクリーンの焦点を移動する場合、視覚的な変更４００は、その視覚的な変更を維持し、ユーザにその未読メッセージを気付かせるために、アイコン３０６において存続する。好ましくは、ユーザが、アプリケーションを動作可能にし、その未読メッセージを読んだ時にのみ、視覚的な変更は、例えば、その総数を減らし、また、総数がゼロの場合、その変更は取り除かれる（適用可能な場合）。
【００４０】
  図６は、
未読メッセージを有するアプリケーションアイコン３０６
アイコン３０６の選択の際の、アイコンの強調表示に加え、未読メッセージの少なくとも一部分のメッセージプレビュー６０４を備えるダイアログボックス６０２が示される。
【００４１】
  図７は、
視覚的な変更４００において示される２つの未読メッセージを有するＩＭアプリケーション３０６の
ダイアログボックス６０２は、メッセージプレビュー６０４および７０４を含む。
【００４２】
  本発明の実施形態に従い、任意的に、
ユーザは、メインスクリーン上のアプリケーションアイコンから直接、未読メッセージへ「ジャンプ」可能（つまり、自動的にナビゲート可能）であり得、それによって、関連するアプリケーションのためのＧＵＩをナビゲートする際に通常は既読メッセージへナビゲートされ得る如何なる介在スクリーンを削除する。例えば、強調表示されたアイコン３０６は、通常に動作可能になり得（例えば、キーボード２３２の「ｅｎｔｅｒ」を選択すること）、アプリケーションが（例えば、最も最近な、または最も古い）未読メッセージにおいて開始する。アプリケーションの初期のスクリーンまたは友達リストはスキップされ得る。
「【００４４】
  図９Ａおよび９Ｂは、新しいイベントを示すためのアプリケーションアイコンの視覚的な変更のための、本発明に従う方法を表すフロー図である。図９Ａは、変更を決定するために新しいイベントを識別するためのオペレーション９００を示し、図９Ｂは、変更を表示するためのオペレーション９０１を示す。
・・・中略・・・
【００４７】
  新しいイベントの際、ステップ９０６において、変化されるアイコンへの視覚的な変更は、アイコン変更構成要素によって決定される。カウンタは、（ある場合は）インクリメントされ、任意の視覚的な要素または重なるグラフィックが構成され得る。例えば、テキストは、図８の視覚的な変更８０２によって例証されるように、重なるように収得され得る。モニタされるイベントが、例えば、前回の未読メッセージの回数である場合、カウンタがデクリメントされ得る。」
（イ）上記下線部の記載及び図によれば、引用文献１には、次の発明（以下、「引用発明」という。）が記載されていると認められる。
［引用発明］
「ＧＵＩが、メインスクリーン、および１つ以上の、メインスクリーンから導かれ得るサブスクリーンを備えた無線移動体機器であって、
　メインスクリーンのアプリケーション部分は、動作可能な様々なソフトウェアアプリケーションおよび機能のために、アイコン（例えば、３０４〜３１２）を表示し、操作するための部分であり、ＩＭアプリケーションＩＭ１、ＩＭ２、およびＩＭ３のための３つのアイコン３０４、３０６、および３０８を示し、２つのそれぞれのｅメールサービスＥｍａｉｌ１、およびＥｍａｉｌ２のための２つのアイコン３１０および３１２を示し、各アイコンに関連付けられるものは、アイコン３０４に対するアプリケーションの名前（例えば、ＩＭ１）であり、
　メインスクリーンおよびＧＵＩにおいて、（キーボード２３２または他の補助Ｉ／Ｏデバイス２２８を操作することによって）特定のアイコン（例えば、３０４）がユーザによって選択される場合、またはユーザによってアクティブになる場合、アイコン３０４は、強調表示、シャドーイング等によって変更され、
　アイコンは、メインスクリーンにおける変化を介してイベントの即時の通知を提供するために、アイコンに関連するアプリケーションからの新しいイベントに応答して、視覚的に変更され、
　新しいＩＭイベント（例えば新しいメッセージ）がＩＭアプリケーションの１つ、つまりアイコン３０６に関連するＩＭ２に届いた後、新しいＩＭメッセージは、新しいイベント（このケースにおいて、未読メッセージが新しいイベントである）の総数を示す数インジケータを含む視覚的な変更４００と共に示され、未読メッセージ数を示すことに加え、このメカニズムは、関連するアプリケーションに適する追加的な状態情報のような他の新しいイベント情報に反映するために使用され、
　未読メッセージを有するアプリケーションアイコン３０６の選択の際の、アイコン強調表示に加え、未読メッセージの少なくとも一部分のメッセージプレビュー６０４を備えるダイアログボックス６０２が示され、
視覚的な変更４００において示される２つの未読メッセージを有するＩＭアプリケーション３０６のダイアログボックス６０２は、メッセージプレビュー６０４および７０４を含み、
　ユーザは、メインスクリーン上のアプリケーションアイコンから直接、未読メッセージへ「ジャンプ」可能（つまり、自動的にナビゲート可能）であり得、それによって、関連するアプリケーションのためのＧＵＩをナビゲートする際に通常は既読メッセージへナビゲートされ得る如何なる介在スクリーンを削除し、例えば、強調表示されたアイコン３０６は、通常に動作可能になり得（例えば、キーボード２３２の「ｅｎｔｅｒ」を選択すること）、アプリケーションが（例えば、最も最近な、または最も古い）未読メッセージにおいて開始し、アプリケーションの初期のスクリーンまたは友達リストはスキップされ得る、無線移動体機器。」
イ　その他の文献について
（ア）当審において新たに引用する本願出願前に頒布された特開２０１３−６９１０３号公報（以下、「文献Ａ」という。）には、図４とともに、次の記載がある。
「【００２９】
〔２−１．画面の挙動〕
　このうち、まず、ユーザ・インターフェースとなる画面の挙動を中心に説明する。すなわち、コンテンツ表示手段２０が、
画面Ｇに表示されるカテゴリのメニューＭ（例えば図４）において、所望のカテゴリを表す矩形のボタンＢ（図では一部のみに符号を表示）
「【００４８】
〔４．他の実施形態〕
　なお、上記実施形態は例示に過ぎず、本発明は、以下に例示するものやそれ以外の他の実施態様も含むものである。例えば、本出願における構成図、データの図、フローチャートなどは例示に過ぎず、各要素の有無、その配置や処理実行などの順序、具体的内容などは適宜変更可能である。一例として、
カテゴリのメニューは、ボタンやアイコンを縦横に並べた形式（例えば図４）
　また、図４には、画面Ｇに表示されるカテゴリのメニューＭを構成している複数のカテゴリを表す矩形のボタンＢには、アプリケーション名が文字列で含まれていることが示されている。
（イ）当審において新たに引用する本願出願前に頒布された特開２０１２−３４８７号公報（以下、「文献Ｂ」という。）には、図４とともに、次の記載がある。
 「【００３０】
　図４は、本発明の実施形態に係る通常操作におけるアプリケーションプログラムの起動指示画面を説明する図である。まず、制御部１１は、端末１の表示画面１４Ｄに、図４（ａ）に示すように、メニューボタンＢ１（menu）とショートカットボタンＢ２（shortcut）とを表示する。ユーザが指などをメニューボタンＢ１が表示された領域に接触させる（以下、「メニューボタンＢ１を操作する」という）と、
制御部１１は、図４（ｂ）に示すように、表示画面１４Ｄに、階層化されたメニューの階層を移動するための選択肢を表示されたメニュー画面を表示する。そして、ユーザが、メニュー画面に表示された選択肢のうちアプリケーションボタンＢ４（3.Application）を操作すると、
「【００４０】
　特定部１０６から特定アプリ識別情報の通知を受けると、設定部１０７は、特定したアプリケーションプログラムの起動指示をするためのショートカット操作を設定する。この例においては、ショートカット操作の設定により、
制御部１１は、表示画面１４Ｄに表示されるショートカットメニュー画面に、特定したアプリケーションプログラムの起動指示をするためのボタン（アイコン）を表示させる。
　
　また、図４（ｂ）（ｃ）には、メニュー画面を構成している複数のボタンには、アプリケーション名が文字列で含まれていることが示されている。
（３）対比
ア　本件補正発明と引用発明とを対比する。
（ア）引用発明では、「メインスクリーンのアプリケーション部分は、動作可能な様々なソフトウェアアプリケーションおよび機能のために、アイコン（例えば、３０４〜３１２）を表示」し、また、「未読メッセージを有するアプリケーションアイコン３０６の選択の際の、アイコン強調表示に加え、未読メッセージの少なくとも一部分のメッセージプレビュー６０４を備えるダイアログボックス６０２が示され」る。
　すなわち、引用発明では、「メインスクリーン」（本件補正発明の「第一画面」に相当する。）に、「アイコン（例えば、３０４〜３１２）」（ユーザの選択を受け付けるものであり、例えば、上記文献Ａ、Ｂに記載されているように「ボタン」ともいい得るものである。）が表示され、また、「アイコン３０６の選択の際」には、「ダイアログボックス６０２」（本件補正発明の「前記ボタンに対する選択を受け付けた場合に出力される第二画面」に相当する。）が表示される。
　引用発明の無線移動体機器がこれらを表示する際には、これらの情報をメモリに格納していなければならないのは明らかであるから、本件補正発明と引用発明は、「ボタンを有する第一画面に関する情報であり、前記ボタンの情報であるボタン情報を有する第一画面情報と、前記ボタンに対する選択を受け付けた場合に出力される第二画面に関する第二画面情報とを格納し得る画面情報格納部」を具備する点で共通するといえる。
　ただし、「ボタン」が、本件補正発明では、「第一文字列を含むボタン」であるのに対し、引用発明では、「アイコン（例えば、３０４〜３１２）」（本件補正発明でいう「ボタン」）が文字列を含むことは特定されていない点で両者は相違する。
（イ）引用発明の「アイコン３０６」の「新しいイベント（このケースにおいて、未読メッセージが新しいイベントである）の総数を示す数インジケータ」は、「ダイアログボックス６０２」に含まれる「メッセージプレビュー６０４および７０４」に関する情報であり、該未読メッセージの総数を示す数インジケータは、変化し得る報知情報といえるから、本件補正発明の「前記第二画面に含まれる情報に関する情報であり、変化し得る情報である報知情報」に相当するといえる。
　上述したのと同様に、この報知情報を表示する際には、情報をメモリに格納していなければならないのは明らかであるから、本件補正発明と引用発明は、「前記第二画面に含まれる情報に関する情報であり、変化し得る情報である報知情報を格納し得る報知情報格納部」を具備する点で一致する。
（ウ）引用発明の「メインスクリーン」は、一般的な無線移動体機器のホーム画面に相当するものであるから（引用文献１の【０００４】の記載を参照されたい。）、引用発明は、電源スイッチ等の、メインスクリーンを出力する出力指示を受け付ける受付部（本件補正発明の「前記第一画面を出力する出力指示を受け付ける受付部」に相当する。）を具備することは明らかである。
　したがって、本件補正発明と引用発明は、「前記第一画面を出力する出力指示を受け付ける受付部」を具備する点で一致する。
（エ）引用発明では、「アイコンは、メインスクリーンにおける変化を介してイベントの即時の通知を提供するために、アイコンに関連するアプリケーションからの新しいイベントに応答して、視覚的に変更され、新しいＩＭイベント（例えば新しいメッセージ）がＩＭアプリケーションの１つ、つまりアイコン３０６に関連するＩＭ２に届いた後、新しいＩＭメッセージは、新しいイベント（このケースにおいて、未読メッセージが新しいイベントである）の総数を示す数インジケータを含む視覚的な変更４００と共に示され」るから、イベントに応答して視覚的に変更されたアイコンの情報は、本件補正発明の「ボタン情報に前記報知情報を付加し、出力されるボタン情報」に相当する。該情報は「メインスクリーン」（本件補正発明でいう「第一画面」）に表示されるから、引用発明は、本件補正発明でいう「ボタン情報に前記報知情報を付加し、出力されるボタン情報を構成し、当該出力されるボタン情報を含む第一画面情報を構成する情報処理部」を具備するといえ、この点で両者は一致する。
（オ）上記（イ）〜（エ）で述べたように、引用発明では、電源スイッチ等の、メインスクリーンを出力する出力指示を受け付けると、メインスクリーンを出力し、その場合に、新しいメッセージに応答して数インジケータを含む視覚的に変更されたアイコンの情報をメインスクリーンに表示し、アイコン３０６が選択されると、未読メッセージの少なくとも一部分のメッセージプレビュー６０４を備えるダイアログボックス６０２が表示される。
　本件補正発明の文言を用いると、引用発明は、「前記受付部が出力指示を受け付けた場合に、前記報知情報が表出したボタンを有する第一画面に関する第一画面情報であり、前記情報処理部が構成した第一画面情報を出力し、かつ前記ボタンに対する選択が受け付けられた場合に、前記第二画面情報を出力する出力部」を具備するといえ、この点で両者は共通する（ただし、上記（ア）で述べたように、引用発明では、「アイコン」（本件補正発明でいう「ボタン」）が文字列を含むことは特定されていない。）。
（カ）引用発明は、「メインスクリーンおよびＧＵＩにおいて、・・・特定のアイコン（例えば、３０４）がユーザによって選択される場合、・・・未読メッセージを有するアプリケーションアイコン３０６の選択の際の、アイコン強調表示に加え、未読メッセージの少なくとも一部分のメッセージプレビュー６０４を備えるダイアログボックス６０２が示され」るものであるから、本件補正発明の「前記ボタンの中の前記報知情報の領域が選択された場合でも、前記ボタンの中の前記報知情報の領域以外の領域が選択された場合でも、前記第二画面情報が出力される」ことと、「前記ボタンが選択された場合、前記第二画面情報が出力される」点では共通する。
（キ）引用発明の「無線移動体機器」は、「情報処理装置」といえるから、本件補正発明と引用発明は、「情報処理装置」である点で一致する。
イ　以上をまとめると、本件補正発明と引用発明との間には、次の一致点及び相違点があるといえる。
（一致点）
「ボタンを有する第一画面に関する情報であり、前記ボタンの情報であるボタン情報を有する第一画面情報と、前記ボタンに対する選択を受け付けた場合に出力される第二画面に関する第二画面情報とを格納し得る画面情報格納部と、
前記第二画面に含まれる情報に関する情報であり、変化し得る情報である報知情報を格納し得る報知情報格納部と、
前記第一画面を出力する出力指示を受け付ける受付部と、
前記ボタン情報に前記報知情報を付加し、出力されるボタン情報を構成し、当該出力されるボタン情報を含む第一画面情報を構成する情報処理部と、
前記受付部が出力指示を受け付けた場合に、前記報知情報が表出したボタンを有する第一画面に関する第一画面情報であり、前記情報処理部が構成した第一画面情報を出力し、かつ前記ボタンに対する選択が受け付けられた場合に、前記第二画面情報を出力する出力部とを具備し、
前記ボタンが選択された場合、前記第二画面情報が出力される情報処理装置。」
　
（相違点１）
　「ボタン」が、本件補正発明では、「第一文字列を含むボタン」であるのに対し、引用発明では、「アイコン（例えば、３０４〜３１２）」（本件補正発明でいう「ボタン」）が文字列を含むことは特定されていない点。
（相違点２）
　本件補正発明は、「前記ボタンの中の前記報知情報の領域が選択された場合でも、前記ボタンの中の前記報知情報の領域以外の領域が選択された場合でも、前記第二画面情報が出力される」ものであるに対し、引用発明は、そのような特定はされていない点。
（４）判断
相違点１について
　引用発明では、各アイコンに対してアプリケーションの名前（例えば、ＩＭ１）が関連付けられており、例えば、メインスクリーンの図である図３では、各アイコンのすぐ下にアプリケーションの名前が表示されている。このようなアイコンにおいて、アイコン（ボタン）自体にアプリケーション名を示す文字列を含むようにしたものは、本願の出願日前において周知（例えば、上記文献Ａ、Ｂに記載されている。）であり、引用発明において、アイコンのすぐ下にアプリケーションの名前を表示する代わりに、アイコン自体にアプリケーションの名前（すなわち、文字列）を含むようにすることは、当業者が容易に想到し得ることである。
　
相違点２について
　本件補正発明における「ボタンの中の前記報知情報の領域が選択された場合でも、前記ボタンの中の前記報知情報の領域以外の領域が選択された場合でも、前記第二画面情報が出力される」との事項に関して、本願明細書には、次のように記載されている。
「【０１１５】次に第一画面（図１１）を見たユーザＢは、ボタン１１０１を押下した、とする。なお、ここで、ユーザＢは、報知情報の領域１１０２を押下しても良いし、報知情報の領域１１０２ではない、ボタン１１０２の他の領域を押下してもよい、とする。
【０１１６】すると、端末装置２の端末受付部２１は、ボタン１１０１の選択を受け付ける。」
　この記載によれば、ボタン１１０１の選択を受け付けるためのボタンの押下は、報知情報の領域１１０２の押下でも、報知情報の領域１１０２ではない、ボタン１１０２の他の領域の押下でもよい、すなわち、ボタンの押下は、ボタンの領域であれば報知情報の領域１１０２であるか否かに拘わらないものであるといえる。
　引用発明は、「メインスクリーンおよびＧＵＩにおいて、特定のアイコンがユーザによって選択される」ものであり、アイコンがユーザによって選択されることは特定されているが、アイコンの、数インジケータを含む視覚的な変更の領域、または、それ以外の領域がユーザによって選択されることまでは特定されていない。
　しかしながら、引用文献１の【００４７】に、「新しいイベントの際、ステップ９０６において、変化されるアイコンへの視覚的な変更は、アイコン変更構成要素によって決定される。・・・中略・・・、任意の視覚的な要素または重なるグラフィックが構成され得る。例えば、テキストは、図８の視覚的な変更８０２によって例証されるように、重なるように収得され得る。」と記載されているように、引用発明の数インジケータは、アイコンに重なるように表示され、アイコンを視覚的に変更したものであるから、数インジケータが表示された領域も、数インジケータが表示された以外の領域も、いずれも、アイコンの領域といえる。
　したがって、引用発明におけるアイコンの選択において、数インジケータが表示された領域であるか否かに拘わらず、アイコンがユーザによって選択された場合に、未読メッセージの少なくとも一部分のメッセージプレビュー６０４を備えるダイアログボックス６０２を表示するようにすることは、当業者が容易に想到し得ることである。
　このことは、引用発明において、「前記ボタンの中の前記報知情報の領域が選択された場合でも、前記ボタンの中の前記報知情報の領域以外の領域が選択された場合でも、前記第二画面情報が出力される」ようにすることは当業者が容易に想到し得ることであることを意味している。
　したがって、本件補正発明は、引用発明及び周知技術に基づき当業者が容易に発明をすることができたものであり、特許法第２９条第２項の規定により、特許出願の際独立して特許を受けることができないものである。
３　本件補正についてのむすび
　以上のとおり、本件補正は，特許法１７条の２第６項で準用する同法１２６条７項の規定に違反するので、同法１５９条１項の規定において読み替えて準用する同法５３条１項の規定により却下すべきものである。
　よって、上記補正の却下の決定の結論のとおり決定する。
第３　本願発明について
１　本願発明
　平成３０年１月９日付け手続補正は、上記のとおり却下されたので、本願の請求項１ないし８に係る発明は、平成２９年８月２５日付けの手続補正により補正された特許請求の範囲の請求項１ないし８に記載された事項により特定されるものと認められるところ、その請求項１に係る発明（以下、「本願発明」という。）は、前記第２　１（２）に記載のとおりのものである。
２　原査定の拒絶の理由
　原査定の拒絶の理由は、この出願の下記の請求項に係る発明は、本願出願前に日本国内又は外国において、頒布された下記の刊行物に記載された発明に基いて、その発明の属する技術の分野における通常の知識を有する者が容易に発明をすることができたものであるから、特許法第２９条第２項の規定により特許を受けることができない、というものである。
請求項：１−５、７、８
引用文献１：.特表２００７−５１２６３５号公報
３　引用文献
　原査定の拒絶の理由で引用された引用文献及びその記載事項、その他の文献及びその記載事項は、前記第２　２（２）に記載したとおりである。
４　対比・判断
　本願発明は、前記第２の［理由］２で検討した本件補正発明の発明を特定するために必要な事項である、「第一画面に関する情報であり、前記第一文字列を含むボタンの情報であるボタン情報を有する第一画面情報」を「第一画面に関する第一画面情報」とし、「前記ボタン情報に前記報知情報を付加し、出力されるボタン情報を構成し、当該出力されるボタン情報を含む第一画面情報を構成する情報処理部」を削除し、「前記受付部が出力指示を受け付けた場合に、前記第一文字列と前記報知情報とが表出したボタンを有する第一画面に関する第一画面情報であり、前記情報処理部が構成した第一画面情報を出力し、かつ前記ボタンに対する選択が受け付けられた場合に、前記第二画面情報を出力する出力部」を「前記受付部が出力指示を受け付けた場合に、前記第一文字列と前記報知情報とが表出したボタンを有する第一画面に関する第一画面情報を出力し、かつ第二画面情報を出力する出力部」とし、「前記ボタンの中の前記報知情報の領域が選択された場合でも、前記ボタンの中の前記報知情報の領域以外の領域が選択された場合でも、前記第二画面情報が出力される」を「前記ボタンの中の前記報知情報の領域が選択された場合でも、前記第二画面が出力される」とするものである。
　そうすると、本願発明の発明特定事項を全て含み、さらに他の事項を付加したものに相当する本件補正発明が、前記第２の［理由］２（３）、（４）に記載したとおり、引用発明及び周知技術に基づいて、当業者が容易に発明をすることができたものであるから、本願発明も、同様の理由により、引用発明及び周知技術に基づいて、当業者が容易に発明をすることができたものである。
第４　むすび
　以上のとおりであるから、本願請求項１に係る発明は、特許法第２９条第２項の規定により特許を受けることができない。
　したがって、その他の請求項に係る発明ついて検討するまでもなく、本願は拒絶すべきものである。
　よって、結論のとおり審決する。